(57)【要約】【課題】起動時間に影響を与えずに球面収差補正の精調整を行える光ディスク装置を提供する。【解決手段】球面収差補正機構を備えた光ディスク装置であって、球面収差補正機構を動作中、（トラッキングエラー信号の振幅値）／（トラッキングエラー信号のバランス）を監視しながら、（ＲＦ信号の振幅値）／（ジッタ値）を用いて球面収差補正機構の最適位置の調整を行う制御部を備える。【選択図】図２
2014182842.tif 000002
【特許請求の範囲】
【請求項１】
球面収差補正機構を備えた光ディスク装置であって、
前記球面収差補正機構を動作中、（トラッキングエラー信号の振幅値）／（トラッキングエラー信号のバランス）を監視しながら、（ＲＦ信号の振幅値）／（ジッタ値）を用いて前記球面収差補正機構の最適位置の調整を行う制御部を備える光ディスク装置。
【請求項２】
前記（トラッキングエラー信号の振幅値）／（トラッキングエラー信号のバランス）のデータ取得は、前記球面収差補正機構の粗調整であり、
前記（ＲＦ信号の振幅値）／（ジッタ値）のデータ取得は、前記球面収差補正機構による補正位置の精調整である請求項１記載の光ディスク装置。
【請求項３】
前記（トラッキングエラー信号の振幅値）／（トラッキングエラー信号のバランス）及び（ＲＦ信号の振幅値）／（ジッタ値）のデータの取得回数を、所定回数に設定する請求項２記載の光ディスク装置。
【請求項４】
前記所定回数は、前記球面収差補正機構の調整結果の精度と回数の関係から決定する請求項３記載の光ディスク装置。
【請求項５】
前記（ＲＦ信号の振幅値）／（ジッタ値）のデータ取得で得られた前記球面収差補正機構の補正位置と、前記（トラッキングエラー信号の振幅値）／（トラッキングエラー信号のバランス）のデータ取得で得られた前記球面収差補正機構の補正位置に基づいて、最適な球面収差位置を決定する請求項４記載の光ディスク装置。
【請求項６】
前記（ＲＦ信号の振幅値）／（ジッタ値）のデータ取得で得られた前記球面収差補正機構の補正位置に大きな重みづけを行って、最終的な球面収差補正位置を決定する請求項５記載の光ディスク装置。
【請求項７】
光ディスクの種類に応じて定められる測定アドレスへ光ピックアップユニットを移動させた後、前記球面収差補正機構を動作させる請求項１乃至請求項６のいずれか１項に記載の光ディスク装置。
【発明の詳細な説明】
【技術分野】
【０００１】
本発明の実施形態は、位置検出装置(センサなど)がない球面収差補正機構での球面収差調整手法を工夫した光ディスク装置に関する。
【背景技術】
【０００２】
光ディスクの記録・再生を行うために必要なサーボ制御・信号の最適な状態は、光ディスク装置や光ディスク毎の特性のばらつき、記録・再生を行う際の温度条件などによって異なる。このため、光ディスクの情報層の記録・再生を行う際には、「起動処理」と呼ばれるサーボ制御・信号の初期調整を所定の手順で行う必要がある。
【０００３】
特に、球面収差補正値及びフォーカスバイアスについて調整を行うにあたっては、例えば、球面収差補正値とフォーカスバイアスとをそれぞれ変化させたときに得られるジッタ（Jitter）値を評価値として、これを最小とする球面収差補正値とフォーカスバイアスとに調整することが行われる。
【０００４】
調整時の評価値としてジッタ値を用いる場合には、トラッキングサーボがかかり、ジッタ値の測定が可能な状態となっていることが前提である。ところが、特に球面収差補正値については、調整時にその値を変化させたときに、場合によってはトラッキングサーボがかからないほど悪化した位置となってしまう場合があり、適切な調整動作を行うことができない可能性があった。
【０００５】
このため、球面収差補正値とフォーカスバイアスとの調整を行うのに先立ち、先ずは球面収差補正値についての粗調整を行うようにされたものがある。
【０００６】
具体的には、フォーカスサーボのみをオンとした状態で球面収差補正値を変化させたときのトラッキングエラー信号振幅値を取得し、その振幅値が所定以上良好となる、すなわちトラッキングサーボをかけられる程度に良好となるように球面収差補正値を調整しておくというものである。
【０００７】
球面収差補正値についての粗調整を行っておくことで、以降は、ジッタ値に基づいてトラッキングエラー信号振幅値が最適になるよう球面収差補正値及びフォーカスバイアスの精調整を適切に行うものである。
【０００８】
しかしながら、球面収差補正位置の精調整の前処理として粗調整を行うことによる起動時間が長くかかるという問題があった。
【先行技術文献】
【特許文献】
【０００９】
【特許文献１】特開２０１１−２８８０３号公報
【特許文献２】特開２００８−８４３７７号公報
【発明の概要】
【発明が解決しようとする課題】
【００１０】
本発明が解決しようとする課題は、起動時間に影響を与えずに球面収差補正位置の精調整を行える光ディスク装置を提供することである。
【課題を解決するための手段】
【００１１】
実施形態の光ディスク装置は、球面収差補正機構を備えた光ディスク装置であって、前記球面収差補正機構を動作中、（トラッキングエラー信号の振幅値）／（トラッキングエラー信号のバランス）を監視しながら、（ＲＦ信号の振幅値）／（ジッタ値）を用いて前記球面収差補正機構の最適位置の調整を行う制御部を備える。
【図面の簡単な説明】
【００１２】
【図１】本発明の実施形態に係る光ディスク装置の全体配置を示す概略図である。
【図２】本実施形態に係る光ディスク装置における球面収差の調整処理の流れを示すフローチャートである。
【発明を実施するための形態】
【００１３】
以下、本発明の一実施の形態について、図面を参照して説明する。尚、各図において同一箇所については同一の符号を付すとともに、重複した説明は省略する。
【００１４】
図１は、本発明の実施形態に係る光ディスク装置の構成例を示す図である。図１に示すように、光ディスク装置１００において、光ディスク１はスピンドルモータ２、ドライバ回路３により、回転した状態にある。光ピックアップユニット４に搭載されたレーザダイオード５から出射された光はビームスプリッタ６、球面収差補正機構７を経由し、対物レンズ８により、光ディスク１上のデータ記録面に集光される。
【００１５】
そして、光ディスク１に集光された光はデータ記録面で反射され、その反射光は再度対物レンズ８、球面収差補正機構７、ビームスプリッタ６を通過した後、受光素子９に入り電気信号に変換される。受光素子９から出力される電気信号は、制御部１０に入力される。制御部１０は入力された信号を処理し、インターフェース１１を通じて外部接続機器との通信を行ったり、ドライバ回路３にフィードバックし、スピンドルモータ２や光ピックアップユニット４、ステッピングモータ１２の制御を行っている。また、制御部１０は後述するように、球面収差補正機構７の制御も行っている。
【００１６】
本実施形態においては、トラッキングエラー信号の振幅値／トラッキングエラー信号のバランスを監視しながら、ＲＦ信号の振幅値／ジッタ値を用いて球面収差の調整を行うものである。
【００１７】
＜球面収差の調整処理＞
次に、以上のように構成された光ディスク装置における球面収差の調整処理の流れについて説明する。図２は、本実施形態に係る光ディスク装置１００における球面収差の調整処理の流れを示すフローチャートである。
【００１８】
まず、光ディスク１の種類に応じた測定アドレスを決定し、その測定アドレスへ光ピックアップユニット４を移動させる（ステップＳ２１）。ここで、測定アドレスは、光ディスク１の規格で定められているもので、データ記録領域のアドレスである。測定アドレスは、光ディスク１の種類(BD-ROM/R/RE等)により異なっている。光ディスク装置１００では、予め光ディスク１の種類毎の測定アドレスは、内部に備えるレジスタ(図示せず)に記録されている。
【００１９】
そこで、球面収差の調整処理においては、再生する光ディスク１に応じてレジスタを読みに行き、測定アドレスを取得し、調整を行う。
【００２０】
次に、球面収差補正機構７を動作させる（ステップＳ２２）。
【００２１】
このとき、球面収差補正機構７を動作させながら、（ＲＦ信号の振幅値）／（ジッタ値）を測定する（ステップＳ２３）。このステップＳ２３は、言わば、球面収差補正機構７の補正位置の精調整となるものである。ここで、ＲＦ信号は光ディスク１の再生データ信号であり、光ディスク１表面からの反射信号から生成されるものである。ジッタ値は、球面収差補正値とフォーカスバイアスとを変化させたときに得られる信号波形の時間的な揺らぎの大きさである。例えば、ＲＦ信号の振幅値の測定は、収差調整中のＲＦ信号のピーク／ボトムを測定し、加算することで求めることができる。また、ジッタ値は、収差調整中のＲＦ信号を２値化し、２値化された信号のエッジを測定し、エッジに発生する時間差の分布から、時間軸上のズレとして求めることができる。
【００２２】
さらに、球面収差補正機構７を動作させながら、（トラッキングエラー信号の振幅値）／（トラッキングエラー信号のバランス）を測定する（ステップＳ２４）。このステップＳ２４は、言わば、球面収差補正機構７の粗調整となるものである。ここで、トラッキングエラー信号は、光ディスク２上のピットとレーザ光との間に生じる誤差を検出した信号で、光ピックアップユニット４から出力される信号を、加算・増幅して生成される。また、トラッキングエラー信号のバランスは、トラッキングエラー信号の基準電圧からトラッキングエラー信号の中心がずれた割合で定義されるものである。
【００２３】
上記の測定データと取得した球面収差補正機構７の位置情報は、例えばレジスタに保存する。
【００２４】
次いで、規定回数以上、球面収差補正機構７が動作したか否かを判定する（ステップＳ２５）。尚、この規定回数の設定は、規定回数動作判定の直前に行う。球面収差補正機構７の調整を行う回数を多くするほど、上記の測定データ数が多くなり調整結果の精度は高くなるが、調整処理に要する時間が増加してしまう。そこで、実際に測定データを取得した上で、調整結果の精度と回数の関係から、適切な回数（安定した精度が出せる回数）を設定する。
【００２５】
規定回数の動作が行われていなければ（ステップＳ２５でＮｏ）、ステップＳ２２に移行する。
【００２６】
一方、規定回数の動作が行われていれば（ステップＳ２５でＹｅｓ）、精調整及び粗調整の結果から最適な球面収差補正位置を演算する（ステップＳ２６）。例えば、収差調整処理で取得した、それぞれの球面収差補正位置における（ＲＦ信号の振幅値）／（ジッタ値）の規定回数分のデータを最小二乗法で近似し、最良な（ＲＦ信号の振幅値）／（ジッタ値）となる球面収差補正位置を導き出す。加えて、本実施形態においては、（トラッキングエラー信号の振幅値）／（トラッキングエラー信号のバランス）も併せて取得するので、これらについても同様にデータを最小二乗法で近似し、最良な球面収差補正位置を導き出す。
【００２７】
以上より求まった２箇所の補正位置から、パラメータに重みづけをしたうえで、最終的な球面収差補正位置を演算するものである。（ＲＦ信号の振幅値）／（ジッタ値）の方が再生品位への影響が大きいため、大きな重みづけとするのが好適である。
【００２８】
次に、演算した位置へ球面収差補正機構７を移動させ（ステップＳ２７）、球面収差の調整処理を終了する。
【００２９】
本実施形態によれば、起動時間に影響を与えずに球面収差補正の調整を最適に行うことができる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１・・・光ディスク
２・・・スピンドルモータ
３・・・ドライバ回路
４・・・光ピックアップユニット
５・・・レーザダイオード
６・・・ビームスプリッタ
７・・・球面収差補正機構
８・・・対物レンズ
９・・・受光素子
１０・・・制御部
１１・・・インターフェース
１２・・・ステッピングモータ
１００・・・光ディスク装置
【図１】
2014182842.tif 000003
【図２】
2014182842.tif 000004